(57)【要約】本発明は、少なくとも２つのレシーバと少なくとも１つのアンテナとにより放送信号をマルチパス受信する方法および回路に関する。好ましくはレシーバの一つがアナログテレビジョン信号を受信して処理し、好ましくは別のレシーバがデジタルテレビジョン信号を受信して処理する。受信したアナログテレビジョン信号をデジタル化して、重み付け法によりダイバーシティ装置でデジタルテレビジョン信号と付加する。２つの信号のうちの定性的により良いもの、あるいは両方の信号を合成して出力装置で出力する。  好ましくは、アナログ信号を受信するレシーバをいくつかと、デジタル信号を受信するレシーバをいくつか備えることにより、アナログ信号経路とデジタル信号経路とのそれぞれにおいて、いずれもより良い品質のアナログ信号と、いずれもより良い品質のデジタル信号とをさらに処理して、重み付け付加を行う。
2005528859.tif 000002
【特許請求の範囲】
【請求項１】
以下を特徴とする、少なくとも２つのレシーバ（Ｔ１〜Ｔｎ）と、少なくとも１つのアンテナ（Ａ１〜Ａｎ）とによりテレビジョン信号をマルチパス受信する方法。
レシーバ（Ｔ１）の一つがアナログテレビジョン信号を受信して処理し、別のレシーバ（Ｔｎ）がデジタルテレビジョン信号を受信して処理し、受信したアナログテレビジョン信号をデジタル化して、デジタル化したアナログテレビジョン信号とデジタルテレビジョン信号とを、ダイバーシティ装置（ＤＥ）で重み付け法により互いに付加して、いずれの場合でも、２つの信号のうちの定性的により良いもの、あるいは両方の信号を合成して出力する。
【請求項２】
周波数および／または時間範囲で２つの信号の重み付け付加を実行することを特徴とする請求項１に記載の方法。
【請求項３】
一方の（デジタルまたはアナログ）信号経路からのより低い周波数信号部分と、他方の（アナログまたはデジタル）信号経路からのより高い周波数信号部分とを、あるいは一方の信号経路のクロミナンス部分と、別の信号経路のルミナンス部分とを、互いに合成して、２つの信号の重み付け付加を実施することを特徴とする請求項１または２に記載の方法。
【請求項４】
デジタル信号経路からとアナログ信号経路から、画像信号およびオーディオ信号のいずれもダイバーシティ装置（ＤＥ）で重み付け法により生成して付加することを特徴とする請求項１ないし３に記載の方法。
【請求項５】
量子化法により重み付け付加を実施することを特徴とする請求項１ないし４に記載の方法。
【請求項６】
両方の信号の重み付け付加を実行する前に、デジタル信号経路とアナログ信号経路との間の実行時間差を相殺することを特徴とする請求項１ないし５に記載の方法。
【請求項７】
第一のステップと、これに続く第二のステップとで実行時間差の相殺を実行することにより、第一のステップでは、おおまかな時間ベースの２つの信号の近似を行い、第二のステップでは、２つの信号の少なくともおおよそ正確な時間同調を実施することを特徴とする請求項６に記載の方法。
【請求項８】
両方の信号経路オーディオ信号のいずれも、ローパスフィルタにかけて、互いに比較して一致させることにより、対応付けられたビデオ信号の対応する時間のずれを介して、２つのビデオ信号のおおまかな実行時間調整を実行して、第一のステップでオーディオ相関関係を実施することを特徴とする請求項７に記載の方法。
【請求項９】
画像線の数の長さおよび好ましくは正確には約５０〜１００μｓｅｃにわたっておおまかな実行時間調整を実施することを特徴とする請求項７に記載の方法。
【請求項１０】
片方又は両方の信号の時間のずれを介して、両方の信号経路の画像および／またはライン同調信号を互いに比較して一致させることにより、第二のステップで２つの信号の微細な相関関係を実行することを特徴とする請求項７ないし９に記載の方法。
【請求項１１】
微細な実行時間調整を、表示するピクセル解像度に調整して、好ましくは正確には少なくとも約５０〜２００ｎｓｅｃで実行することを特徴とする請求項１０に記載の方法。
【請求項１２】
アナログ信号を受信する２つ以上のレシーバおよび／またはデジタル信号を受信する２つ以上のレシーバを備えることを特徴とする請求項１ないし１１に記載の方法。
【請求項１３】
各レシーバ（Ｔ１〜Ｔｎ）の出力信号から、復調をアナログ復調器（ＡＤ１〜ＡＤｎ）によりアナログ経路で実行し、復調をデジタル復調器（ＤＤ１〜ＤＤｎ）によりデジタル経路でデジタル的に実行し、復調したアナログ信号から最も良い受信品質のものをアナログセレクタ装置（Ａ）で選択し、復調したデジタル信号から最も良い受信品質のものをデジタルセレクタ装置（Ｄ）で選択し、最も良い受信品質のアナログ信号をデジタル化し、最も良い受信品質のデジタル化したアナログ信号と最も良い受信品質のデジタル信号とをダイバーシティ装置（ＤＥ）に供給することを特徴とする請求項１２に記載の方法。
【請求項１４】
ｎ個のアンテナ（Ａ１〜Ａｎ）を、アンテナセレクタネットワーク（ＡＷ）により任意の組み合わせでｎ個のレシーバ（Ｔ１〜Ｔｎ）と接続できることを特徴とする請求項１ないし１３に記載の方法。
【請求項１５】
全レシーバ（Ｔ１〜Ｔｎ）からの出力信号をいずれも、自動増幅制御装置（ＡＧＣ１〜ＡＧＣｎ）により一定レベルに調整することを特徴とする請求項１ないし１４に記載の方法。
【請求項１６】
全デジタル復調器（ＤＤ１〜ＤＤｎ）が、パッケージ指向ＭＰＥＧマルチプログラムトランスポートストリーム（ＭＰＴＳ）をＭＰＴＳダイバーシティ装置（ＭＤ）に供給し、この装置が、欠陥がほとんどないパッケージを有するＭＰＥＧマルチプログラムトランスポートストリームをＭＰＥＧデコーダ（ＤＫ）に送信することを特徴とする請求項１ないし１５に記載の方法。
【請求項１７】
ＭＰＴＳダイバーシティ装置（ＭＤ）からのｎ個の出力信号をいずれも、ｎ個のデマルチプレクサ（ＤＸ１〜ＤＸｎ）のうちの一つで多重分離して、各トランスポートストリームパッケージに含まれるプログラム識別子により、ＳＰＴＳと略記するシングルプログラムトランスポートストリームに分割し、プログラムをフィルタによりマルチプログラムトランスポートストリームからフィルタにかけることを特徴とする請求項１６に記載の方法。
【請求項１８】
ｎ個のデマルチプレクサ（ＤＸ１〜ＤＸｎ）からの出力信号をＳＰＴＳ、ＰＥＳまたはＥＳダイバーシティ装置（ＳＤ）に供給して、この装置がシングルプログラムトランスポートストリーム（ＳＰＴＳ）、パッケージ指向エレメンタリーストリーム（ＰＥＳ）または純エレメンタリーストリーム（ＥＳ）から最も良い品質のデータストリームを選択して、これをＭＰＥＧデコーダ（ＤＫ）に送信して、個別のデータストリーム間の実行時間差を相殺することを特徴とする請求項１７に記載の方法。
【請求項１９】
ＭＰＥＧデコーダ（ＤＫ）の出力信号とアナログセレクタ装置の出力信号（Ａ）とを、ダイバーシティ装置（ＤＥ）で一つにまとめて再生信号にして、一方の出力信号のセクションを、重み付け法で対応する他方の出力信号のセクションにそれらの品質により付加して、これにより、２つの出力信号の間の実行時間差を相殺して、重み付け法で付加して実行時間を相殺した合成信号を、ディスプレイ出力装置（ＡＥ）に供給することを特徴とする請求項１６ないし１８に記載の方法。
【請求項２０】
一方の出力信号のビデオ部分を他方の出力信号のオーディオ部分と合成できるように、ダイバーシティ装置（ＤＥ）において、ＭＰＥＧデコーダ（ＤＫ）とアナログセレクタ装置（Ａ）とにより生成された出力信号のビデオ部分とオーディオ部分とを個別に評価できることを特徴とする請求項１ないし１９に記載の方法。
【請求項２１】
デジタル信号経路から利用できる音声信号が、該当の時間セクションでより良い品質でない限り、アナログ信号経路からの出力ビデオ画像を有するオーディオ信号出力を利用できるようにすることを特徴とする請求項２０に記載の方法。
【請求項２２】
アンテナセレクタネットワーク（ＡＷ）、レシーバ（Ｔ１〜Ｔｎ）、自動増幅制御装置（ＡＧＣ１〜ＡＧＣｎ）、アナログ復調器（ＡＤ１〜ＡＤｎ）、デジタル復調器（ＤＤ１〜ＤＤｎ）、アナログセレクタ装置（Ａ）、デジタルセレクタ装置（Ｄ）、ダイバーシティ装置（ＤＥ）およびディスプレイ出力装置（ＡＥ）を、中央制御装置（ＺＳ）により制御することを特徴とする請求項１ないし２１に記載の方法。
【請求項２３】
デジタルセレクタ装置（Ｄ）のＭＰＴＳダイバーシティ装置（ＭＤ）、ＭＰＴＳデマルチプレクサ（ＤＸ１〜ＤＸｎ）、ＳＰＴＳ、ＰＥＳまたはＥＳダイバーシティ装置（ＳＤ）およびＭＰＥＧデコーダ（ＤＫ）を、中央制御装置（ＺＳ）で制御することを特徴とする請求項２２に記載の方法。
【請求項２４】
アナログセレクタ装置（Ａ）が、アナログ信号の品質基準を生成して、これを中央制御装置（ＺＳ）に送信することを特徴とする請求項２２または２３に記載の方法。
【請求項２５】
以下を特徴とする、少なくとも２つのレシーバと、少なくとも１つのアンテナとによりテレビジョン信号をマルチパス受信する回路。
アナログテレビジョン信号を受信する一つのレシーバ（Ｔ１）と、デジタルテレビジョン信号を受信する別のレシーバ（Ｔｎ）とはいずれも、ダウンストリーム信号処理装置を備え、これにより、受信したアナログテレビジョン信号をデジタル化でき、デジタル化したアナログテレビジョン信号とデジタルテレビジョン信号とをダイバーシティ装置（ＤＥ）で重み付け法により互いに付加して、いずれの場合でも、２つの信号のうちの定性的により良いもの、あるいはさらにより良い信号を得るために、２つの信号を合成して出力装置（ＡＥ）から出力できる。
【請求項２６】
周波数および／または時間範囲で、もしくはクロミナンス部分とルミナンス部分との重み付け付加により、２つの信号の重み付け付加を実施できることを特徴とする請求項２５に記載の回路。
【請求項２７】
一方の（デジタルまたはアナログ）信号経路からのより低い周波数信号部分と、他方の（アナログまたはデジタル）信号経路からのより高い周波数信号部分とを互いに合成して、２つの信号の重み付け付加を実施できることを特徴とする請求項２５または２６に記載の回路。
【請求項２８】
デジタル信号経路の出力とアナログ信号経路の出力とにおいて、画像信号と音声信号とのいずれも、重み付け法によりダイバーシティ装置（ＤＥ）でピックアップして付加できることを特徴とする請求項２５ないし２７に記載の回路。
【請求項２９】
量子化法により重み付け付加を実施することを特徴とする請求項２５ないし２８に記載の回路。
【請求項３０】
両方の信号の重み付け付加を実行する前に、デジタル信号経路とアナログ信号経路との間の実行時間差を相殺することを特徴とする請求項２５ないし２９に記載の回路。
【請求項３１】
第一のステップと、これに続く第二のステップとで実行時間差の相殺を実行することにより、第一のステップでは、おおまかな時間ベースの２つの信号の近似を行い、第二のステップでは、２つの信号の少なくともおおよそ正確な時間同調を実施することを特徴とする請求項３０に記載の回路。
【請求項３２】
両方の信号経路オーディオ信号のいずれも、ローパスフィルタにかけて、互いに比較して一致させることにより、対応付けられたビデオ信号の対応する時間のずれを介して、２つのビデオ信号のおおまかな実行時間調整を実行して、第一のステップでオーディオ相関関係を実施することを特徴とする請求項３１に記載の回路。
【請求項３３】
画像線の数の長さおよび好ましくは正確には約５０〜１００μｓｅｃにわたっておおまかな実行時間調整を実施することを特徴とする請求項３１または３２に記載の回路。
【請求項３４】
片方又は両方の信号の時間のずれを介して、両方の信号経路の画像および／またはライン同調信号を互いに比較して一致させることにより、第二のステップで２つの信号の微細な相関関係を実行することを特徴とする請求項３１ないし３３に記載の回路。
【請求項３５】
微細な実行時間調整を、表示するピクセル解像度に調整して、好ましくは正確には少なくとも約５０〜２００ｎｓｅｃで実行することを特徴とする請求項３４に記載の回路。
【請求項３６】
２つ以上のレシーバでアナログ信号を受信するおよび／または２つ以上のレシーバでデジタル信号を受信することを特徴とする請求項２５ないし３５に記載の回路。
【請求項３７】
各レシーバ（Ｔ１〜Ｔｎ）の出力信号から、復調をアナログ復調器（ＡＤ１〜ＡＤｎ）によりアナログ経路で実行し、復調をデジタル復調器（ＤＤ１〜ＤＤｎ）によりデジタル経路でデジタル的に実行し、復調したアナログ信号から、最も良い受信品質のものをアナログセレクタ装置（Ａ）で選択し、復調したデジタル信号から、最も良い受信品質のものをデジタルセレクタ装置（Ｄ）で選択し、最も良い受信品質のアナログ信号をデジタル化し、最も良い受信品質のデジタル化したアナログ信号と最も良い受信品質のデジタル信号とをダイバーシティ装置（ＤＥ）に供給することを特徴とする請求項２５ないし３６に記載の回路。
【請求項３８】
ｎ個のアンテナ（Ａ１〜Ａｎ）を、アンテナセレクタネットワーク（ＡＷ）により任意の組み合わせでｎ個のレシーバ（Ｔ１〜Ｔｎ）と接続できることを特徴とする請求項２５ないし３７に記載の回路。
【請求項３９】
各レシーバ（Ｔ１〜Ｔｎ）からの出力信号をいずれも、自動増幅制御装置（ＡＧＣ１〜ＡＧＣｎ）により一定レベルに調整することを特徴とする請求項２５ないし３８に記載の回路。
【請求項４０】
全デジタル復調器（ＤＤ１〜ＤＤｎ）がパッケージ指向ＭＰＥＧマルチプログラムトランスポートストリーム（ＭＰＴＳ）をＭＰＴＳダイバーシティ装置（ＭＤ）に供給し、この装置が、欠陥がほとんどないパッケージを有するＭＰＥＧマルチプログラムトランスポートストリームをＭＰＥＧデコーダ（ＤＫ）に送信することを特徴とする請求項２５ないし３９に記載の回路。
【請求項４１】
ＭＰＴＳダイバーシティ装置（ＭＤ）からのｎ個の出力信号をいずれも、ｎ個のデマルチプレクサ（ＤＸ１〜ＤＸｎ）のうちの一つで多重分離して、各トランスポートストリームパッケージに含まれるプログラム識別子により、ＳＰＴＳと略記するシングルプログラムトランスポートストリームに分割し、プログラムをフィルタによりマルチプログラムトランスポートストリームからフィルタにかけることを特徴とする請求項４０に記載の回路。
【請求項４２】
ｎ個のデマルチプレクサ（ＤＸ１〜ＤＸｎ）からの出力信号をＳＰＴＳ、ＰＥＳまたはＥＳダイバーシティ装置（ＳＤ）に供給して、この装置がシングルプログラムトランスポートストリーム（ＳＰＴＳ）、パッケージ指向エレメンタリーストリーム（ＰＥＳ）または純エレメンタリーストリーム（ＥＳ）から最も良い品質のデータストリームを選択して、これをＭＰＥＧデコーダ（ＤＫ）に送信して、個別のデータストリーム間の実行時間差を相殺することを特徴とする請求項４１に記載の回路。
【請求項４３】
ＭＰＭＰＥＧデコーダ（ＤＫ）の出力信号とアナログセレクタ装置の出力信号（Ａ）とを、ダイバーシティ装置（ＤＥ）で一つにまとめて再生信号にして、一方の出力信号のセクションを、重み付け法で対応する他方の出力信号のセクションにそれらの品質により付加して、  これにより、２つの出力信号の間の実行時間差を相殺して、重み付け法で付加して実行時間を相殺した合成信号を、ディスプレイ出力装置（ＡＥ）に供給することを特徴とする請求項３９ないし４２に記載の回路。
【請求項４４】
一方の出力信号のビデオ部分を他方の出力信号のオーディオ部分と合成できるように、ダイバーシティ装置（ＤＥ）において、ＭＰＥＧデコーダ（ＤＫ）とアナログセレクタ装置（Ａ）とにより生成された出力信号のビデオ部分とオーディオ部分とを個別に評価でき、逆の場合も同じであることを特徴とする請求項２５ないし４３に記載の回路。
【請求項４５】
デジタル信号経路から利用できる音声信号が、該当の時間セクションでより良い品質でない限り、アナログ信号経路からの出力ビデオ画像を有するオーディオ信号出力を利用できるようにすることを特徴とする請求項４４に記載の回路。
【請求項４６】
アンテナセレクタネットワーク（ＡＷ）、レシーバ（Ｔ１〜Ｔｎ）、自動増幅制御装置（ＡＧＣ１〜ＡＧＣｎ）、アナログ復調器（ＡＤ１〜ＡＤｎ）、デジタル復調器（ＤＤ１〜ＤＤｎ）、アナログセレクタ装置（Ａ）、デジタルセレクタ装置（Ｄ）、ダイバーシティ装置（ＤＥ）およびディスプレイ出力装置（ＡＥ）を、中央制御装置（ＺＳ）により制御することを特徴とする請求項２５ないし４５に記載の回路。
【請求項４７】
デジタルセレクタ装置（Ｄ）のＭＰＴＳダイバーシティ装置（ＭＤ）、ＭＰＴＳデマルチプレクサ（ＤＸ１〜ＤＸｎ）、ＳＰＴＳ、ＰＥＳまたはＥＳダイバーシティ装置（ＳＤ）およびＭＰＥＧデコーダ（ＤＫ）を、中央制御装置（ＺＳ）で制御することを特徴とする請求項４６に記載の回路。
【請求項４８】
アナログセレクタ装置（Ａ）が、アナログ信号の品質基準を生成して、これを中央制御装置（ＺＳ）に送信することを特徴とする請求項４５または４７に記載の回路。
【請求項４９】
中央制御装置（ＺＳ）の制御出力を、アンテナセレクタネットワーク（ＡＷ）、ｎ個のレシーバ（Ｔ１〜Ｔｎ）、ｎ個の自動増幅制御装置（ＡＧＣ１〜ＡＧＣｎ）、ｎ個のアナログ復調器（ＡＤ１〜ＡＤｎ）、ｎ個のデジタル復調器（ＤＤ１〜ＤＤｎ）、アナログセレクタ装置（Ａ）、デジタルセレクタ装置（Ｄ）、ダイバーシティ装置（ＤＥ）およびディスプレイ出力装置（ＡＥ）の制御入力と接続することを特徴とする請求項４７または４８に記載の回路。
【請求項５０】
ｎ個のデジタル復調器（ＤＤ１〜ＤＤｎ）の出力を、ＭＰＴＳダイバーシティ装置（ＭＤ）のｎ個の入力に接続し、この装置のｎ個の出力をｎ個のＭＰＴＳデマルチプレクサ（ＤＸ１〜ＤＸｎ）の入力と接続し、ｎ個のデマルチプレクサ（ＤＸ１〜ＤＸｎ）の出力を、ＳＰＴＳ、ＰＥＳまたはＥＳダイバーシティ装置（ＳＤ）のｎ個の入力に接続し、この装置の出力をＭＰＥＧデコーダ（ＤＫ）の入力に接続し、この装置の出力ダイバーシティ装置（ＤＥ）の入力に接続することを特徴とする請求項７ないし４９に記載の回路。
【請求項５１】
ＭＰＴＳダイバーシティ装置（ＭＤ）、ｎ個のデマルチプレクサ（ＤＸ１〜ＤＸｎ）、ＳＰＴＳ、ＰＥＳまたはＥＳダイバーシティ装置（ＳＤ）およびＭＰＥＧデコーダ（ＤＫ）の制御入力を、中央制御装置（ＺＳ）の制御出力と接続することを特徴とする請求項５０に記載の回路。
【発明の詳細な説明】
【技術分野】
【０００１】
本発明は、請求項１に記載の特徴による、テレビジョン信号をマルチパス受信する方法に関し、請求項２５に記載の特徴による、これに適した回路に関する。
【背景技術】
【０００２】
マルチパス受信とは、伝送路またはチャネルのいくつかのうちの一つを無線信号として受信することを意味するものとして理解されたい。
【０００３】
我々は、周波数ダイバーシティという言葉で呼ばれる選択すべきレシーバ周波数のいくつかのうちの一つで、アンテナダイバーシティと呼ばれる選択すべきアンテナのいくつかのうちの一つにより、放送信号および／またはテレビジョン信号をマルチパス受信ことに慣れ親しんでいる。
【０００４】
アンテナダイバーシティレシーバシステムとは、通常空間的に分離しているいくつかのアンテナのうちの一つに接続可能な、無線レシーバを用いる無線受信システムである。この種のアンテナダイバーシティレシーバシステムを、例えば自動車に用いて、放送信号および／またはテレビジョン信号を受信する。自動車に用いられる好適なアンテナは、例えば、自動車のウインドウに一体化されるウインドウアンテナである。放送用レシーバ、テレビジョンレシーバまたは電話システム等のアンテナダイバーシティレシーバを用いる場合、明記できる基準でセレクタスイッチがアンテナの一つを選択して、無線レシーバに接続する。
【０００５】
この種の基準は、例えば、受信電界強度、あるいは、例えば信号の反射の結果、マルチパス受信を干渉することに起因する強い受信電界強度で発生する干渉である。次にシステムは、できるだけ素早く別のアンテナに切り換えて、受信した信号をより良い受信品質で供給する。
【０００６】
周波数ダイバーシティレシーバシステムは、少なくとも２つの無線レシーバを用いる無線受信システムである。一方の無線レシーバを操作レシーバとして用い、もう一方の無線レシーバがサーチ・テストレシーバとして、選択すべき受信周波数を検出してそれらの受信品質をテストする。サーチレシーバが、現在操作レシーバに設定されている受信周波数より良い受信品質の選択すべき受信周波数を検出した場合、操作レシーバを新しく検出した受信周波数に同調するか、あるいは、サーチレシーバと操作レシーバとの役割を交代するかのいずれかを行う。次に、サーチレシーバは検出した最適な受信周波数に同調したまま、操作レシーバが行っていた動作を引き継いで、サーチレシーバとして選択すべき受信周波数を探してそれらの受信品質をテストする。
【０００７】
アンテナダイバーシティレシーバシステムのように、周波数ダイバーシティレシーバシステムは自動車に特に適している。なぜなら、周囲の地形が常に変化する結果、行程の間に受信状態が変化してしまうからである。
【０００８】
アンテナダイバーシティと周波数ダイバーシティとを組み合わせることは、特に利点がある。
【０００９】
この種の組み合わせたダイバーシティ受信システムを用いることにより、アンテナをいくつか備えて、セレクタスイッチにより、レシーバのいくつかと接続することができる。従って、必要とする任意のアンテナ周波数の組み合わせが実現できる。
【００１０】
また、一方では、アナログ放送信号を受信するレシーバシステムと共に、デジタル放送の放送信号を受信するレシーバシステムも用いられている。デジタルレシーバシステムが将来ますます重要になってくるのは、ますます多くの放送組織が自分たちのプログラムをデジタル放送し始めているからである。これは、すでにある程度デジタル放送を行っている無線プログラムばかりでなく、デジタル放送を行っているテレビジョンプログラムに一層当てはまることである。デジタルテレビジョン放送を行うパイロットプロジェクトが既に知られている。デジタルテレビジョンは、ＤＶＢ−Ｔ”地上波デジタルビデオ放送（Ｄｉｇｉｔａｌ  Ｖｉｄｅｏ  Ｂｒｏａｄｃａｓｔｉｎｇ  Ｔｅｒｒｅｓｔｒｉａｌ）”という名称で知られている。
【００１１】
これらのＤＶＢＴ信号を受信するには、特別のデジタルレシーバシステムが必要である。従来のレシーバは適していない。
【００１２】
なぜなら、デジタルテレビジョンはますますアナログテレビジョンに取って代わるように考えられているが、デジタルテレビジョンは簡単には全国に拡大することができない。自動車に非常に多く搭載されているモバイルＴＶレシーバに特に必要な、アナログ放送信号とデジタル放送信号との、特にアナログテレビジョン信号とデジタルテレビジョン信号との両方を処理可能な受信概念が特に必要となっている。
【発明の開示】
【発明が解決しようとする課題】
【００１３】
本発明が重要となるのはこの点である。
【００１４】
本発明の目的は、従来のダイバーシティレシーバシステムのものよりもかなり品質の良い再生信号を生成する、放送信号をマルチパス受信する方法および回路、特にテレビジョン信号をマルチパス受信する方法および回路の設計である。
【００１５】
この目的は、請求項１の特徴による方法の記載により解決する。
【００１６】
問題を解決する回路は、請求項２５の目的である。
【００１７】
本発明をさらに発展したものは、２つの請求項に回帰する従属項に記載の目的である。
【課題を解決するための手段】
【００１８】
本発明によれば、少なくとも２つのレシーバと少なくとも１つのアンテナとを用いて、放送信号をマルチパス受信する方法および回路を提供する。好ましくはレシーバの一つがアナログテレビジョン信号を受信して処理し、好ましくは別のレシーバがデジタルテレビジョン信号を受信して処理する。受信したアナログテレビジョン信号をデジタル化して、重み付け法によりダイバーシティ装置でデジタルテレビジョン信号と付加する。２つの信号のうちの定性的により良いものを、あるいは両方の信号を合成して出力装置で出力する。
【００１９】
本文書でテレビジョン画像信号を処理するという事実を述べる場合、本発明の範囲において、単に画像信号処理と、画像信号および音声信号（すなわち、オーディオ信号）処理とについて述べているものとしてとらえられたい。
【００２０】
好ましくは、アナログ信号を受信するレシーバをいくつかと、デジタル信号を受信するレシーバをいくつか備えることにより、アナログ信号経路とデジタル信号経路とのそれぞれにおいて、いずれもより良い品質のアナログ信号と、いずれもより良い品質のデジタル信号とをさらに処理して、重み付け付加を行う。
【００２１】
好ましくは、両方の信号分岐からのより良い音声信号をいずれについても、出力ビデオ信号に割り当てる。
【００２２】
好ましくは、周波数および／または時間範囲で２つの信号の重み付け付加を実行する。重み付けは量子化することができる。これは、受信したアナログ受信信号から得たデジタル化した信号をその品質により、１００％または０％、あるいはその間の任意の値で、受信したデジタル受信信号から得た信号と付加できることを意味している。デジタル信号経路からの信号が最適で、アナログ信号経路からの信号に相当乱れがある場合には、本発明によれば、デジタル信号を１で掛け、アナログ信号を係数０で掛ける。この結果、デジタル信号を採って表示する。逆の場合には、すなわち、アナログ信号が最適で、デジタル信号に乱れがある場合には、アナログ信号を１で重み付けして、デジタル信号を０で重み付けする。１から０の間の値が常に採りうる。しかしながら、目的は常に、再生装置にいずれのより良い信号を供給することであり、いずれの個別の信号より良い合成信号を供給することである。重み付け付加を、ダイバーシティ装置により実行する。ある信号から別の信号へ切り換える、あるいは合成信号に切り換えることは好ましくは、時間セクションで実行する。これは、受信状態が連続する時間セクションで変化するからである。
【００２３】
しかしながら、合成またはダイバーシティは、クロミナンス信号とルミナンス信号との間でも発生する。例えば、デジタル信号経路において干渉により、色情報を１ビットグループにしかデコードできない場合、例えば、８×８画像点、例えば黄色にしかデコードできない場合というのは、アナログ信号経路を介して黒白画像構造を検出できることである。本発明によれば、ダイバーシティ装置において、黄色の色情報を画像構造の情報と合成して重み付け付加を実行する。多少黄色がかった画像構造が結果として得られる。全体として、この画像領域の画面に向上した画像セクションが表示される。
【００２４】
信号の合成または信号の重み付け付加が行われる可能性があるのは、周波数範囲である。これは、例えばあるデジタル信号経路からのより低い周波数信号比率を、例えば別のアナログ信号経路からのより高い周波数信号比率と合成することを意味し、逆の場合も同じである。
【００２５】
本発明をさらに発展させると、両方の信号の重み付け付加を実行する前に、デジタル信号経路とアナログ信号経路との間の実行時間差を相殺することである。
【００２６】
これは、第一のステップと、これに続く第二のステップとで実行時間差の相殺を実行することにより、第一のステップでは、おおまかな時間ベースの２つの信号の近似を行い、第二のステップでは、２つの信号の少なくともおおよそ正確な時間同調を実施することが特に好適である。両方の信号経路オーディオ信号のいずれも、ローパスフィルタにかけて、互いに比較して一致させることにより、対応付けられたビデオ信号の対応する時間のずれを介して、２つのビデオ信号のおおまかな実行時間調整を実行して、第一のステップでオーディオ相関関係を実施する。おおまかな実行時間整合は好ましくは、正確には約１００μｓｅｃで実行する。
【００２７】
片方又は両方の信号の時間のずれを介して、両方の信号経路の画像および／またはライン同調信号を互いに比較して一致させることにより、第二のステップで２つの信号の微細な相関関係を実行する。微細な関係を、正確には少なくとも約１００〜２００ｎｓｅｃで実行する。
【００２８】
本発明による構成は好ましくは、アナログ信号を受信する２つ以上のレシーバおよび／またはデジタル信号を受信する２つ以上のレシーバを備える。各レシーバの出力信号を、いずれもアナログ経路でアナログ復調器により復調し、いずれもデジタル経路でデジタル復調器により復調して、これにより、復調したアナログ信号からアナログセレクタ装置で最も良い受信品質のものを選択し、復調したデジタル信号からデジタルセレクタ装置で最も良い受信品質のものを選択する。最も良い受信品質のアナログ信号をデジタル化する。この後、最も良い受信品質のデジタル化したアナログ信号と、最も良い受信品質のデジタル信号をダイバーシティ装置に供給し、２つの信号を、重み付け法により時間セクションおよび／または周波数範囲で付加する。画像信号は、例えばデジタルＹＵＶ信号として存在し、音声信号はＰＣＭ信号として存在する。
【００２９】
好ましくは、入力側のｍ個のアンテナを、アンテナセレクタネットワークにより任意の組み合わせでｎ個のレシーバと接続することができる。ここでは、各レシーバの出力信号をいずれも、自動増幅制御装置により一定レベルに調整することができる。
【００３０】
好ましくは、全デジタル復調器が、パッケージ指向ＭＰＥＧマルチプログラムトランスポートストリーム（ＭＰＴＳ）をＭＰＴＳダイバーシティ装置（ＭＤ）に供給し、この装置が、欠陥がほとんどないパッケージを有するＭＰＥＧマルチプログラムトランスポートストリームをＭＰＥＧデコーダ（ＤＫ）に送信する。
【００３１】
また、ＭＰＴＳダイバーシティ装置からのｎ個の出力信号をいずれも、ｎ個のデマルチプレクサのうちの一つで多重分離して、各トランスポートストリームパッケージに含まれるプログラム識別子により、シングルプログラム（トランスポート）ストリーム（ＳＰＴＳ）に分割する。プログラムをフィルタによりマルチプログラムトランスポートストリームからフィルタにかける。ｎ個のデマルチプレクサの出力信号を、ＳＰＴＳ、ＰＥＳまたはＥＳダイバーシティ装置（ＳＤ）に供給して、この装置がシングルプログラムトランスポートストリーム（ＳＰＴＳ）、パッケージ指向エレメンタリーストリーム（ＰＥＳ）または純エレメンタリーストリーム（ＥＳ）から最も良い品質のデータストリームを選択して、これをＭＰＥＧデコーダ（ＤＫ）に送信して、個別のデータストリーム間の実行時間差を相殺する。
【００３２】
ＭＰＥＧデコーダの出力信号とアナログセレクタ装置の出力信号とを、ダイバーシティ装置で一つにまとめて再生信号にして、一方の出力信号のセクションを、重み付け法で対応する他方の出力信号のセクションにそれらの品質により付加して、これにより、２つの出力信号の間の実行時間差を相殺して、重み付け法で付加して実行時間を相殺した合成信号を、ディスプレイ出力装置（ＡＥ）に供給する。一方の出力信号のビデオ部分を他方の出力信号のオーディオ部分と合成できるように、ダイバーシティ装置（ＤＥ）において、ＭＰＥＧデコーダ（ＤＫ）とアナログセレクタ装置（Ａ）とにより生成された出力信号のビデオ部分とオーディオ部分とを個別に評価する。
【００３３】
好ましくは、デジタル信号経路から利用できる音声信号が、該当の時間セクションでより良い品質でない限り、アナログ信号経路からの出力ビデオ画像を有するオーディオ信号出力を利用できるようにする。これは、デジタル信号経路においてまったく音声を検出できなくなっても、比較的良好な音声信号を、アナログ受信信号からまだ導出できるからである。
【００３４】
本発明の一実施の形態では、増幅制御装置により、レシーバの中間周波数信号のレベルを定数に調整する。
【００３５】
本発明の実施の形態ではさらに、全デジタル復調器が、ＭＰＴＳと略記するパッケージ指向ＭＰＥＧマルチプログラムトランスポートストリームを、ＭＰＴＳダイバーシティ装置に供給して、この装置が無欠陥パッケージを有するＭＰＥＧマルチプログラムトランスポートストリームを選択して、これをＭＰＥＧデコーダに送信することを提案する。
【００３６】
無欠陥パッケージを有するＭＰＥＧマルチプログラムトランスポートストリームを検出できない場合には、本発明の実施の形態では、ＭＰＴＳダイバーシティ装置のｎ個の出力信号をいずれも、ｎ個のデマルチプレクサのうちの一つで多重分離して、各トランスポートストリームパッケージに含まれるプログラム識別子により、ＳＰＴＳと略記するシングルプログラムトランスポートストリームに分割し、プログラムをフィルタによりマルチプログラムトランスポートストリームからフィルタにかける。ｎ個のデマルチプレクサの出力信号をＳＰＴＳ、ＰＥＳまたはＥＳダイバーシティ装置（ＳＤ）に供給して、この装置がシングルプログラムトランスポートストリーム（ＳＰＴＳ）、パッケージ指向エレメンタリーストリーム（ＰＥＳ）または純エレメンタリーストリーム（ＥＳ）から最も良い品質のデータストリームを選択して、これをＭＰＥＧデコーダ（ＤＫ）に送信して、個別のデータストリーム間の実行時間差を相殺する。
【００３７】
本発明の実施の形態ではさらに、ダイバーシティ装置において、デジタルセレクタ装とアナログセレクタ装置とにより供給する出力信号のビデオ部分とオーディオ部分とを、個別に評価する。
【００３８】
最後に、本発明の実施の形態ではさらに、全装置、すなわち、アンテナセレクタネットワーク、レシーバ、自動増幅制御装置、アナログ復調器とデジタル復調器、アナログセレクタ装置、ＭＰＴＳダイバーシティ装置、ＭＰＴＳデマルチプレクサ、ＳＰＴＳ、ＰＥＳおよびＥＳダイバーシティ装置、ＭＰＥＧデコーダ、ダイバーシティ装置およびディスプレイ出力装置を、中央制御装置により制御する。
【発明を実施するための最良の形態】
【００３９】
図中では、特に明示しない限り、同じ重要度を持つ部分参照番号には同じ符号を付す。
【００４０】
図１は、本発明による回路の実施の形態を示す。１つまたは複数のアンテナＡ１〜Ａｍが、ｎ個のレシーバＴ１〜Ｔｎのｎ個の出力が接続しているアンテナセレクタネットワークＡＷのｍ個の入力に取り付けられている。ｍおよびｎは、同じであっても良いし、異なっていても良い。ｎ個のレシーバＴ１〜Ｔｎそれぞれの出力は、いずれも、自動増幅制御装置ＡＧＣ１〜ＡＧＣｎの入力に接続している。ｎ個の自動増幅制御装置ＡＧＣ１〜ＡＧＣｎそれぞれの出力は、いずれも、デジタル復調器ＤＤ１〜ＤＤｎおよびアナログ復調器ＡＤ１〜ＡＤｎの入力に接続している。従って、デジタル復調器とアナログ復調器とは、それぞれ自動増幅制御装置として割り当てられている。ｎ個のデジタル復調器ＤＤ１〜ＤＤｎの出力は、マルチプログラムトランスポートストリームダイバーシティ装置ＭＤのｎ個の入力、ｎ個のプログラムフィルタ付きデマルチプレクサＤＸ１〜ＤＸｎのｎ個の出力に接続している。デマルチプレクサＤＸ１〜ＤＸｎの出力は、シングルプログラムトランスポートストリーム、パッケージ指向エレメンタリーストリームまたは純エレメンタリーストリームを行うためのダイバーシティ装置ＳＤのｎ個の入力に接続している。ダイバーシティ装置ＳＤの出力は、ＭＰＥＧデコーダＤＫの入力に接続し、その出力はダイバーシティ装置ＤＥの第一の入力に接続している。ｎ個のアナログ復調器ＡＤ１〜ＡＤｎの出力は、アナログセレクタ装置Ａのｎ個の入力に接続し、その出力は、ダイバーシティ装置ＤＥの第二の入力に接続している。ダイバーシティ装置ＤＥの出力は、ディスプレイ出力装置ＡＥの入力に接続している。アンテナセレクタネットワークＡＷ、レシーバＴ１〜Ｔｎ、増幅制御装置ＡＧＣ１〜ＡＧＣｎ、デジタル復調器ＤＤ１〜ＤＤｎ、アナログ復調器ＡＤ１〜ＡＤｎ、ダイバーシティ装置ＭＤ、デマルチプレクサＤＸ１〜ＤＸｎ、ダイバーシティ装置ＳＤ、ＭＰＥＧデコーダＤＫ、アナログセレクタ装置Ａ、ダイバーシティ装置ＤＥ、ディスプレイ出力装置ＡＥといった全装置の制御入力は、中央制御装置ＺＳの制御出力および制御入力に接続している。ダイバーシティ装置ＭＤ、デマルチプレクサＤＸ１〜ＤＸｎ、ダイバーシティ装置ＳＤおよびＭＰＥＧデコーダＤＫとで、デジタルセレクタ装置Ｄを構成する。
【００４１】
一つの例外があるが、中央制御装置ＺＳにより制御するアンテナセレクタネットワークＡＷにより、ｍ個のアンテナＡ１〜Ａｍを必要に応じてｎ個のレシーバＴ１〜Ｔｎと接続できる。
【００４２】
ｎ個のレシーバＴ１〜Ｔｎの出力信号は、ｎ個の増幅制御装置ＡＧＣ１〜ＡＧＣｎにより、一定の共通のレベルに調整される。これにより、以下に述べるこれらの信号の復調およびその後の処理が相当容易になる。好ましくは、ｎ個のレシーバＴ１〜ＴｎのＺＦ信号のレベルを定数に調整する。
【００４３】
好ましくは一定レベルに調整される各増幅制御装置ＡＧＣ１〜ＡＧＣｎのＺＦ信号はいずれも、類似の方法でデジタル復調器ＤＤ１〜ＤＤｎとアナログ復調器ＡＤ１〜ＡＤｎとでデジタル復調される。アナログ復調器ＡＤ１〜ＡＤｎで生成した、復調した出力信号をアナログセレクタ装置Ａに供給して、この装置が電界強度または干渉妨害強度等の周知の方法および基準に基づいて、ｎ個のアナログ出力信号から最も良いものを選択して、これをダイバーシティ装置ＤＥ送信する。アナログセレクタ装置Ａが判定した最も良い出力信号を、アナログセレクタ装置Ａまたはダイバーシティ装置ＤＥのいずれかでデジタル化する。
【００４４】
デジタル復調器ＤＤ１〜ＤＤｎからのデジタル出力信号をデジタルセレクタ装置Ｄに供給し、この装置も最も良いデジタル出力信号を選択して、それをダイバーシティ装置ＤＥに送信する。ここでは、信号を重み付けの形式で付加する。
【００４５】
最も簡単な場合は、デジタルセレクタ装置Ｄにより重大な干渉が与えられてしまう信号セクションを、時間セクションに基づいて、アナログセレクタ装置Ａにより干渉がほとんどなくなった信号の対応する信号セクションと置換する。一方、アナログセレクタ装置Ａが生成する信号が良くなければ、これらを対応する時間セクションでデジタルセレクタ装置Ｄからの欠陥がほとんどない信号と置換する。
【００４６】
従って、ディスプレイ出力装置ＡＥは、ダイバーシティ装置ＤＥからのほとんど無欠陥の信号を受信する。
【００４７】
信号を時間ベースで置換する代わりに、２つの信号の重み付け付加を実行することもできる。２つの重み付け係数は、０または１というように異なっている（０と１とでは、信号を上述のように置換することに注意）。例えば、両方の信号を乗算したり、０．５で重み付けしたりすることができる。また、他の重み付け係数についても考えられる。しかしながら、本発明の目的によれば、得られる全信号が、個別の信号それぞれより良いものでなければならない。
【００４８】
ルミナンス信号とクロミナンス信号の範囲での重み付け付加を、図５に示す。これは、例示として、デジタルセレクタ装置Ｄから、実質的に画像構造を何も示さない８×８ピクセルの画像信号を得る。一方、正しい色値は例えば黄色で、８×８ピクセルブロックとして認識されている。一方、アナログセレクタ装置Ａから、画像構造を示す同じ画像セクションの信号を得る。例えば黒白の十字形のアウトラインであるが、色情報は何も示していない。色信号が変調する種類なので、アナログテレビジョン受信はしばしば、黒白画像が見えている間に色が失われてしまうことを意味するからである。本発明によれば、両方の画像信号を付加して、黄色の背景の十字形を示す、８×８ピクセルのこの画像セクションの信号を得る。この結果により、画像の印象を向上させる。両方の信号の重み付けは、例えば、０．５である。
【００４９】
重み付け付加のさらに別の例を図６に示す。ここでは、例えばアナログチャネルの一方の信号経路が高い周波数範囲で乱れていて、例えばデジタルチャネルの別の信号経路が低い周波数範囲で大きな干渉を受けているものとする。従って、乱れがある周波数帯域を、この場合ではローパスフィルタまたはハイパスフィルタを用いてフィルタにかけるか、あるいは適したフィルタでブロックして、いずれも乱れの少ないチャネルの信号部分と混合する。この信号付加については、周波数範囲への付加として説明する。なぜなら、デジタル受信信号からのより低い周波数画像セクションと、アナログ受信チャネルからのより高い周波数画像セクションとを互いに付加するからである。当然、フィルタリングについてもバンドパスフィルタを用いて実行することができる。
【００５０】
中央制御装置ＺＳには、個別の装置を制御するアナログセレクタ装置Ａにより品質基準が与えられる。
【００５１】
デジタル復調器ＤＤ１〜ＤＤｎおよびデジタルセレクタ装置Ｄを用いるデジタル分岐機能は、以下の通りである。
【００５２】
例えば、デジタル復調器ＤＤ１〜ＤＤｎの出力にパッケージ指向ＭＰＥＧマルチプログラムトランスポートストリームが存在する。ｎ個のデジタル復調器ＤＤ１〜ＤＤｎにより供給するｎ個のＭＰＥＧマルチプログラムトランスポートストリームから、ダイバーシティ装置ＭＤが無欠陥パッケージを選択して、さらに処理する。
【００５３】
図２は、３つのマルチプログラムトランスポートストリーム（ＭＰＴＳ）を示す。欠陥がある個別のパッケージは、（１）と示されているトランスポートストリームから失われている。欠陥がある大多数のデータパッケージは、（２）のトランスポートストリームでは失われている。（３）では、トランスポートストリーム（１）および（２）から、新しいマルチプログラムトランスポートストリームＭＰＴＳを生成するが、最も良い場合では、無欠陥トランスポートストリームパッケージだけを含む。
【００５４】
ダイバーシティ装置ＭＤで無欠陥パッケージが利用できなければ、個別のＭＰＥＧマルチプログラムトランスポートストリームをデマルチプレクサＤＸ１〜ＤＸｎに供給して、多重分離する。全てのトランスポートストリームパッケージに含まれているプログラム識別子を用いて、欠陥があるパッケージを示すＭＰＥＧマルチプログラムトランスポートストリームを、個別のシングルプログラムトランスポートストリームから分離する。例えば、デマルチプレクサＤＸ１〜ＤＸｎに備えられているフィルタを用いて、プログラムをフィルタにかける。これはまた、一つの同じプログラムを、周波数が異なる別の放送から受信する場合に可能である。パッケージ指向エレメンタリーストリームおよび純非パッケージ指向エレメンタリーストリームでも、方法はおなじである。次に、ｎ個のデマルチプレクサＤＸ１〜ＤＸｎにより生成した出力信号をダイバーシティ装置ＳＤに供給し、この装置により、個別のプログラムトランスポートストリーム、パッケージ指向エレメンタリーストリームまたは純エレメンタリーストリームを処理できる。
【００５５】
図３は、トランスポートパッケージを用いて、ダイバーシティ装置ＳＤが、どのように欠陥があるパッケージを有するトランスポートストリームから、欠陥が少ないトランスポートストリームを生成できるか示している。
【００５６】
図３  は例示として、デジタルデマルチプレクサが供給する第一のトランスポートストリームＭＰＴＳ１と、デマルチプレクサが供給する第二のトランスポートストリームＭＰＴＳ２とを示す。これらの２つのトランスポートストリームは、プログラムＰＲ１に属するパッケージと、プログラムＰＲ２に属するパッケージをと含む。
【００５７】
トランスポートストリームＭＰＴＳ１では、プログラムＰｒ１およびプログラムＰｒ２のパッケージ１と、プログラムＰｒ２のパッケージ４とに乱れがあるが、プログラムＰｒ１およびプログラムＰｒ２のパッケージ２および３と、プログラムＰｒ１のパッケージ４とは乱れがない。フィルタを用いて、例えばデマルチプレクサＤＤ１のデマルチプレクサが、トランスポートストリームＭＰＴＳ１からプログラムＰｒ２のパッケージを選択する。これらは、乱れがあるパッケージ１、乱れがないパッケージ２および３、乱れがあるパッケージ４である。
【００５８】
例えばデマルチプレクサＤＸｎから供給される第二のトランスポートストリームＭＰＴＳ２は、プログラムＰｒ２からとプログラムＰｒ３とからのパッケージを含む。プログラムＰｒ２のパッケージ１、３および４は乱れがないが、プログラムＰｒ３のパッケージ１および３と、プログラムＰｒ２のパッケージ２は乱れがある。フィルタを用いて、ダイバーシティ装置ＳＤがプログラムＰｒ２のパッケージ１〜４を選択する。トランスポートストリームＭＰＴＳ２のパッケージ１、３および４は乱れがないが、パッケージ２は乱れがある。ダイバーシティ装置ＳＤにより、乱れが少ない、理想的には乱れがないトランスポートストリームを、トランスポートストリームＭＰＴＳ２のプログラムＰｒ２のパッケージ１からと、トランスポートストリームＭＰＴＳ１のプログラムＰｒ２の乱れがないパッケージ２からと、トランスポートストリームＭＰＴＳ１のプログラムＰｒ２の乱れがないパッケージ３からと、トランスポートストリームＭＰＴＳ２のプログラムＰｒ２の乱れがないパッケージ４からと合成する。
【００５９】
無欠陥または欠陥がほとんどないこのトランスポートストリームをＭＰＥＧデコーダＤＫによりデコードしてダイバーシティ装置ＤＥに送り、この装置が、アナログセレクタ装置Ａが選択した最も良いトランスポートストリームを受信する。
【００６０】
図４は例示として、ダイバーシティ装置ＤＥが、どのようにデジタルセレクタ装置Ｄおよびアナログセレクタ装置Ａが供給した信号から最適な画像を、また好ましくは音声信号を生成するか示している。
【００６１】
図４は、フレーム１〜８を有するデジタルセレクタ装置Ｄから供給されたビデオ信号８と、フレーム４〜１０を有するアナログセレクタ装置Ａから供給されたビデオ信号９とを示す。デジタルセレクタ装置Ｄからのビデオ信号では、フレーム１、２、３および６は乱れがないが、フレーム４、５、７および８は乱れがある。アナログセレクタ装置Ａから供給されたビデオ信号では、フレーム４、５、７、８および１０は乱れがないが、フレーム６および９は乱れがある。ここでダイバーシティ装置ＤＥは、デジタルセレクタ装置により供給されたビデオ信号の乱れがないフレーム１、２、３および６からと、アナログセレクタ装置Ａにより供給されたビデオ信号からの乱れがないフレーム４、５および７から、信号を、無欠陥あるいは欠陥がほとんどないフレームと合成する。また、ダイバーシティ装置ＤＥは、２つのビデオ信号の間の実行時間差を相殺する。
【００６２】
図４では画像信号のみについて説明したが、音声信号またはオーディオ信号の処理と、画像信号と音声信号との混合とについても同じことが当てはまる。
【００６３】
デマルチプレクサＤＸ１〜ＤＸｎにより供給されたプログラムストリーム間の実行時間差については、ダイバーシティ装置ＳＤで補償する。
【００６４】
本発明は特に、ビデオ信号の受信と処理とに適している。好ましくは、ビデオ信号のビデオ部分とオーディオ部分とを別々に評価する。この別々の評価が可能になるのは、ビデオ信号が垂直同期信号と水平同期信号とを含んでいるからである。また、ダイバーシティ装置ＤＥにより画像と音声との間の同期性を生成する。
【００６５】
本発明は特に、例えば自動車でのモバイル受信で頻繁に変化する困難な受信状態に適しているが、これに限るものではない。これは、家庭内の固定した設置にも適している。
【図面の簡単な説明】
【００６６】
本発明について、図面を参照して実施の形態についてより詳細に述べ、説明する。これは以下の図面に示す。
【図１】図１は、ブロック図に示す、本発明による回路の実施の形態である。
【図２】図２は、実施の形態におけるＭＰＴＳダイバーシティ装置のトランスポートストリームパッケージである。
【図３】図３は、実施の形態におけるＳＰＴＳダイバーシティ装置のデータパッケージである。
【図４】図４は、実施の形態におけるダイバーシティ装置のデータパッケージである。
【図５】図５は、ルミナンス信号とクロミナンス信号との合成（ルミナンスクロミナンスダイバーシティ）を行うための８×８ピクセルまたは画像点フィールドに基づく２つの画像信号の重み付け付加の例である。
【図６】図６は、周波数範囲における２つの画像信号の重み付け付加の例である。
【符号の説明】
【００６７】
Ａ                      アナログセレクタ装置
ＡＤ１  ＡＤｎ          アナログ復調器
ＡＥ                    ディスプレイ出力装置
ＡＧＣ１〜ＡＧＣｎ      自動増幅制御装置
ＡＷ                    アンテナセレクタネットワーク
Ａ１〜Ａｍ              アンテナ
Ｄ                      デジタルセレクタ装置
ＤＤ１  ＤＤｎ          デジタル復調器
ＤＥ                    ダイバーシティ装置
ＤＫ                    ＭＰＥＧデコーダ
ＤＸ１〜ＤＸｎ          デマルチプレクサ
ＭＤ                    ＭＰＴＳダイバーシティ装置
ＳＤ                    ＳＰＴＳ、ＰＥＳまたはＥＳダイバーシティ装置
Ｔ１〜Ｔｎ              レシーバ
ＺＳ                    中央制御装置
【図１】
2005528859.tif 000003
【図２】
2005528859.tif 000004
【図３】
2005528859.tif 000005
【図４】
2005528859.tif 000006
【図５】
2005528859.tif 000007
【図６】
2005528859.tif 000008
【国際調査報告】
2005528859.tif 000009
2005528859.tif 000010
2005528859.tif 000011
2005528859.tif 000012
2005528859.tif 000013
2005528859.tif 000014